(57)【特許請求の範囲】
【請求項１】
リヤ側端部に雄ネジ部（１４ａ）を有するネジ部材（１４）と、該ネジ部材にゆるく嵌まりリヤ側にテーパ面（１５ａ）を有するフロント部材（１５）と、フロント側端部に前記雄ネジ部と螺合する雌ネジ部（１６ａ）を有する軸部（１６ｃ）と、該軸部のリヤ側端部に設けられフロント側にテーパ面（１６ｂ）を有するリヤ部（１６ｄ）とからなる本体（１６）と、フロント部材とリヤ部材の間の軸部にゆるく挟持され両端にテーパ面（１７ａ，１７ｂ）を有する中間部材（１７）とを備え、
前記雄ネジ部と雌ネジ部の螺合によりフロント部材（１５）を軸方向に前後移動でき、フロント部材をリヤ側に移動させることにより中間部材（１７）を幅方向外方に移動させ、フロント部材をフロント側に移動させることにより中間部材を幅方向内方に移動させるように構成されており、
前記ネジ部材（１４）は、フロント側端部の頭部（１４ｂ）と中間部の拡径部（１４ｃ）とを有し、前記フロント部材（１５）は、頭部（１４ｂ）と拡径部（１４ｃ）の間に嵌まる鍔部（１５ｂ）を有し、これにより、雄ネジ部と雌ネジ部の螺合によりフロント部材（１５）を軸方向に前後移動させるようになっている、ことを特徴とする基板固定装置。
【請求項２】
前記フロント部材（１５）と中間部材（１７）は、互いに引張力を伝達する連結面（１５ｃ，１７ｃ）をそれぞれ有し、かつ前記テーパ面（１５ａ，１７ａ及び１６ｂ，１７ｂ）は、幅方向外方の軸方向間隔が開いた面に構成されている、ことを特徴とする請求項１に記載の基板固定装置。
【発明の詳細な説明】
【０００１】
【発明の属する技術分野】
本発明は、コネクタ等に差し込んだ状態で、基板（ボード）を筐体等に固定するための基板固定装置に関する。
【０００２】
【従来の技術】
図３に模式的に示すように、プリント基板等の基板１（ボード）を筐体２に固定するために、カードロックリテーナと呼ぶ基板固定具３が従来から用いられている。この基板固定具３は、全体として断面が矩形の細長い部品であり、図４に示すように、リヤ側端部（図で右端）にネジ部４ａを有する細長いネジ部材４、ネジ部材４の頭部にゆるく嵌まりリヤ側にテーパ面５ａを有するフロント部材５、ネジ部材４のネジ部４ａと螺合するネジ部６ａを有しフロント側にテーパ面６ｂを有するリヤ部材６、及びフロント部材５とリヤ部材６の間にゆるく挟持され両端にテーパ面７ａ，７ｂを有する本体７とから構成されている。
【０００３】
基板固定具３の本体７は、通常、基板１又はこれに取り付けられた放熱板１ａに小ネジ等で取り付けられている。ネジ部材４を緩めて、図４（Ａ）に示すように、テーパ面５ａ，７ａ間及び６ｂ，７ｂ間に隙間がある状態（アンロック状態）で、図３に示すように、筐体２に設けられたコネクタ２ａ等に基板１を一定の狭い間隔で差し込み、その状態でネジ部材４を回転させて締め込むことにより、図４（Ｂ）に示すように、フロント部材５とリヤ部材６の間隔が短くなり、テーパ面５ａ，７ａ間及び６ｂ，７ｂ間の面圧で本体７に対してフロント部材５とリヤ部材６が幅方向（図で上向き）に押し上げられ、隣接する部材（例えば、筐体２、コネクタ２ａ、又は別の基板１）に当接してその間に幅方向の圧力を発生させて基板１を固定するようになっている。
【０００４】
【発明が解決しようとする課題】
軌道上や宇宙空間で使用する制御装置では、プリント基板で発生する熱を基板１に取り付けられた放熱板１ａに伝熱し、更に基板固定具３を介して筐体２に伝熱することにより、熱を放熱する。従って、この場合に、上述した基板固定装置３は、基板１を固定すると共に、基板１の熱を筐体２に伝える重要な役割を果たす。
【０００５】
更に、宇宙空間で長期に使用する制御装置では、メンテナンスのために、或いは故障時に、基板１を短時間に交換する必要が生じる。しかし、上述した従来の基板固定装置では、２組のテーパ面５ａ，７ａ及び６ｂ，７ｂが長期間面圧を受けた状態で保持されると、基板を取り外すためにネジ部材４を回転させて緩めても、２組のテーパ面５ａ，７ａ及び６ｂ，７ｂが面圧を受けたままとなり、基板を簡単には外せなくなることがある。この場合、基板固定装置（リテーナ）に何らかの衝撃を与える等して、リテーナを緩める必要が生じるが、そのため隣接する他の基板等に悪影響を及ぼすおそれがあった。すなわち、従来の基板固定装置では、メンテナンス時等の基板の取り外しに非常な困難を伴う問題点があった。
【０００６】
本発明は、かかる問題点を解決するために創案されたものである。すなわち、本発明の目的は、長期間の使用後であっても、衝撃等を与えることなく、スムースに基板を取り付け／取り外しすることができる基板固定装置を提供することにある。
【０００７】
【課題を解決するための手段】
本発明によれば、リヤ側端部に雄ネジ部（１４ａ）を有するネジ部材（１４）と、該ネジ部材にゆるく嵌まりリヤ側にテーパ面（１５ａ）を有するフロント部材（１５）と、フロント側端部に前記雄ネジ部と螺合する雌ネジ部（１６ａ）を有する軸部（１６ｃ）と、該軸部のリヤ側端部に設けられフロント側にテーパ面（１６ｂ）を有するリヤ部（１６ｄ）とからなる本体（１６）と、フロント部材とリヤ部材の間の軸部にゆるく挟持され両端にテーパ面（１７ａ，１７ｂ）を有する中間部材（１７）とを備え、
前記雄ネジ部と雌ネジ部の螺合によりフロント部材（１５）を軸方向に前後移動でき、フロント部材をリヤ側に移動させることにより中間部材（１７）を幅方向外方に移動させ、フロント部材をフロント側に移動させることにより中間部材を幅方向内方に移動させるように構成されており、
前記ネジ部材（１４）は、フロント側端部の頭部（１４ｂ）と中間部の拡径部（１４ｃ）とを有し、前記フロント部材（１５）は、頭部（１４ｂ）と拡径部（１４ｃ）の間に嵌まる鍔部（１５ｂ）を有し、これにより、雄ネジ部と雌ネジ部の螺合によりフロント部材（１５）を軸方向に前後移動させるようになっている、ことを特徴とする基板固定装置が提供される。
【０００９】
また、前記フロント部材（１５）と中間部材（１７）は、互いに引張力を伝達する連結面（１５ｃ，１７ｃ）をそれぞれ有し、かつ前記テーパ面（１５ａ，１７ａ及び１６ｂ，１７ｂ）は、幅方向外方の軸方向間隔が開いた面に構成されている。
【００１０】
上記本発明の構成によれば、例えば、ネジ部材（１４）の頭部（１４ｂ）と拡径部（１４ｃ）の間に鍔部（１５ｂ）が嵌まる構成により、ネジ部材（１４）の回転によりフロント部材（１５）を軸方向に前後移動させることができる。更に、例えば、フロント部材（１５）と中間部材（１７）に互いに引張力を伝達する連結面（１５ｃ，１７ｃ）を設けることにより、フロント部材のフロント側移動により中間部材を連結面で係合させて引張ることができる。
【００１１】
従って、ネジ部材（１４）の回転させて雄ネジ部を雌ネジ部に締めつけることによりフロント部材（１５）を本体（１６）側に移動させると、テーパ面（１５ａ，１７ａ及び１６ｂ，１７ｂ）に面圧が作用して中間部材（１７）を幅方向外方に移動させて隣接する部材に当接してその間に幅方向の圧力を発生させて基板を固定することができる。
【００１２】
更に、メンテナンス等のために、基板１を交換する際には、ネジ部材（１４）の反転させて雄ネジ部を雌ネジ部から緩めることによりフロント部材（１５）を本体（１６）から離れる方向に移動させると、テーパ面（１５ａ，１７ａ及び１６ｂ，１７ｂ）の面圧が下がり、かつ中間部材を連結面（１５ｃ，１７ｃ）で係合させて引張るので、テーパ面（１５ａ，１７ａ及び１６ｂ，１７ｂ）に隙間ができ、中間部材を幅方向内方に移動させることができ、これにより、衝撃等を与えることなく、スムースに基板を取り外すことができる。
【００１３】
【発明の実施の態様】
以下、本発明の好ましい実施形態を図面を参照して説明する。なお、各図において、共通する部分には同一の符号を付し、重複した説明を省略する。
図１は、本発明による基板固定装置のアンロック状態の全体構成図であり、図２は、そのロック状態の全体構成図である。各図において、（Ａ）は全体側面図、（Ｂ）はフロント側（右側）の部分断面拡大図、（Ｃ）はＣ−Ｃ線における断面図である。
【００１４】
図１及び図２に示すように、本発明の基板固定装置は、ネジ部材１４、フロント部材１５、本体１６、及び中間部材１７の４つの主要部品からなる。
ネジ部材１４は、リヤ側端部（図で左端）に雄ネジ部１４ａ、フロント側端部（右端）に頭部１４ｂ、その中間部に拡径部１４ｃを有する。フロント部材１５は、リヤ側（左端）にテーパ面１５ａを有し、かつ右端部にネジ部材１４の頭部１４ｂと拡径部１４ｃの間に挟持されて嵌まる鍔部１５ｂを有し、ネジ部材１４にゆるく嵌まっている。なお、この実施形態では、鍔部１５ｂには図で下方に切り欠部を有し、この切り欠部を通して鍔部１５ｂにネジ部材１４の頭部１４ｂと拡径部１４ｃの中間軸を嵌めるようになっている。また、頭部１４ｂと鍔部１５ｂとの間、及び拡径部１４ｃと鍔部１５ｂとの間にそれぞれワッシャが挟持され、ネジ部材１４がその軸心を中心に円滑に回転できるようにしている。
【００１５】
本体１６は、フロント側の軸部１６ｃとリヤ側のリヤ部１６ｄとからなる。軸部１６ｃは、フロント側端部（右端）にネジ部材１４の雄ネジ部１４ａと螺合する雌ネジ部１６ａを有する。また、リヤ部１６ｄは、軸部１６ｃのリヤ側端部に設けられフロント側にテーパ面１６ｂを有する。この構成により、雄ネジ部１４ａと雌ネジ部１６ａの螺合によりフロント部材１５を軸方向（図で左右）に前後移動させることができる。
【００１６】
中間部材１７は、フロント部材１５とリヤ部１６ｄの間の軸部１６ｃにゆるく挟持され、かつ両端にテーパ面１７ａ，１７ｂを有している。また、このテーパ面１５ａ，１７ａ及び１６ｂ，１７ｂは、幅方向外方の軸方向間隔が開いた面に構成されている。更に中間部材１７は、図１（Ｃ）及び図２（Ｃ）に示すように、軸部１６ｃを囲むコの字状の断面を有し、この図で上下方向に一定の範囲で移動できるようになっている。この構成により、雄ネジ部１４ａと雌ネジ部１６ａの螺合によりフロント部材１５を軸方向（図２に破線の矢印で示す左向き）に移動させることにより、フロント部材１５をリヤ側に移動し、中間部材１７を幅方向外方（図で上向き）に移動させることができる。
【００１７】
更に、図１（Ａ）、図２（Ａ）に示すように、フロント部材１５と中間部材１７は、互いに引張力を伝達する連結面１５ｃ，１７ｃをそれぞれ有している。この構成により、雄ネジ部１４ａと雌ネジ部１６ａの螺合によりフロント部材１５を軸方向（図１に破線の矢印で示す右向き）に移動させることにより、フロント部材１５をフロント側に移動し、同時に連結面１５ｃ，１７ｃの係合により中間部材１７を幅方向内方（図で下向き）に移動させることができる。
【００１８】
なお、本発明は上述した実施形態に限られるものではなく、発明の要旨を逸脱しない範囲で種々に変更できることは勿論である。
【００１９】
【発明の効果】
上述した本発明の構成によれば、ネジ部材１４の回転によりフロント部材１５を軸方向に前後移動させることができ、かつ、フロント部材のフロント側移動により中間部材を連結面で係合させて引張ることができる。
【００２０】
従って、ネジ部材１４の回転させて雄ネジ部を雌ネジ部に締めつけることによりフロント部材１５を本体１６側に移動させると、テーパ面１５ａ，１７ａ及び１６ｂ，１７ｂに面圧が作用して中間部材１７を幅方向外方に移動させて隣接する部材に当接してその間に幅方向の圧力を発生させて基板を固定することができる。
【００２１】
更に、メンテナンス等のために、基板１を交換する際には、ネジ部材１４の反転させて雄ネジ部を雌ネジ部から緩めることによりフロント部材１５を本体１６から離れる方向に移動させると、テーパ面１５ａ，１７ａ及び１６ｂ，１７ｂに面圧が下がり、かつ中間部材を連結面１５ｃ，１７ｃで係合させて引張るので、テーパ面１５ａ，１７ａ及び１６ｂ，１７ｂに隙間ができ、中間部材を幅方向内方に移動させることができ、これにより、衝撃等を与えることなく、スムースに基板を取り外すことができる。
【００２２】
従って、本発明の基板固定装置は、長期間の使用後であっても、衝撃等を与えることなく、スムースに基板を取り付け／取り外しすることができる、優れた効果を有する。
【図面の簡単な説明】
【図１】本発明による基板固定装置のアンロック状態の全体構成図である。
【図２】本発明による基板固定装置のロック状態の全体構成図である。
【図３】従来の基板固定具の使用形態を示す図である。
【図４】従来の基板固定装置の全体構成図である。
【符号の説明】
１  基板（ボード）
１ａ  放熱板
２  筐体
３  基板固定装置
４  ネジ部材
４ａ  ネジ部
５  フロント部材
５ａ  テーパ面
６  リヤ部材
６ａ  ネジ部
６ｂ  テーパ面
７  本体
７ａ，７ｂ  テーパ面
１４  ネジ部材
１４ａ  雄ネジ部
１４ｂ  頭部
１４ｃ  拡径部
１５  フロント部材
１５ａ  テーパ面
１５ｂ  鍔部
１５ｃ  連結面
１６  本体
１６ａ  雌ネジ部
１６ｂ  テーパ面
１６ｃ  軸部
１６ｄ  リヤ部
１７  中間部材
１７ａ，１７ｂ  テーパ面
１７ｃ  連結面
【図１】
0004082529.tif 000002
【図２】
0004082529.tif 000003
【図３】
0004082529.tif 000004
【図４】
0004082529.tif 000005